(57)【要約】【課題】従来と比較し、一対の柱の間に架設された線材（架線）を効率的に撤去することを可能にする架線の撤去方法及び架線撤去用具を提供する。【解決手段】一対の柱３、４の間に架設された線材２を撤去する方法であって、一方の柱３と他方の柱４の線材支持部付近にそれぞれ作業床５、６を配置する。一方の作業床５から一方の柱３側の線材２に、他方の作業床６から他方の柱４側の線材２にそれぞれ、巻き上げ装置１０から繰り出された仮支持ロープ８の一端を接続した線材把持具７を間接活線作業で取り付ける。仮支持アーム９の先端側に仮支持ロープ８を繰り出し／巻き上げ可能に支持させる。巻き上げ装置１０を駆動して仮支持ロープ８に所定の張力を付与しつつ、一方の柱３と線材把持具７との間、及び他方の柱４と線材把持具７との間の部分の線材２の２箇所を切断し、一対の線材仮支持装置１１で、切断分離した線材２を所定の張り状態で支持する。【選択図】図１
2019170125.tif 000002
【特許請求の範囲】
【請求項１】
一対の柱の間に架設された線材を撤去する方法であって、
一方の柱と他方の柱の線材支持部付近にそれぞれ作業床を配置する作業床配置工程と、
一方の作業床から一方の柱側の線材に、他方の作業床から他方の柱側の線材にそれぞれ、巻き上げ装置から繰り出された仮支持ロープの一端を接続した線材把持具を間接活線作業で取り付ける線材把持具取付工程と、
後端側を中心に回動可能で起伏可能に設けられた架線撤去用具の仮支持アームの先端側に前記仮支持ロープを繰り出し／巻き上げ可能に支持させる仮支持ロープ／仮支持アーム取付工程と、
前記巻き上げ装置を駆動して前記仮支持ロープに所定の張力を付与しつつ、前記一方の柱と該一方の柱側に取り付けた一方の線材把持具との間、及び前記他方の柱と該他方の柱側に取り付けた他方の線材把持具との間の部分の前記線材の２箇所を切断し、前記線材把持具と前記仮支持ロープと前記仮支持アームと前記巻き上げ装置からなる一対の線材仮支持装置で、切断分離した線材を所定の張り状態で支持する線材切断作業工程とを備えることを特徴とする架線の撤去方法。
【請求項２】
請求項１記載の架線の撤去方法において、
前記線材切断作業工程で一対の仮支持アームを回動して伏した状態とし、前記線材を切断分離した後に一対の仮支持アームをそれぞれ回動して起こすとともに、切断分離した線材を所定の張り状態を確保しつつ原位置から離し、前記作業床を降下させ、及び／又は前記巻き上げ装置を駆動して前記仮支持ロープを繰り出し、切断分離した線材を所定位置に下す線材撤去工程を備えることを特徴とする架線の撤去方法。
【請求項３】
請求項１または請求項２に記載の架線の撤去方法で用いる架線撤去用具であって、
前記架線撤去用具である前記仮支持アームは、先端側に、前記仮支持ロープの繰り出し方向から見た正面視で前記仮支持ロープを囲繞するように設けられ、前記仮支持ロープを繰り出し／巻き上げ可能に支持する仮支持ロープ繰り出し／巻き上げ支持機構を備えることを特徴とする架線撤去用具。
【請求項４】
請求項３記載の架線撤去用具において、
前記仮支持ロープ繰り出し／巻き上げ支持機構が、前記仮支持アームを伏して水平にした状態で、互いの回転軸線が前記仮支持アームの回動軸線に沿い、前記仮支持ロープを間に上下に所定の間隔をあけて配設される上下一対の支持ローラー、及び互いの回転軸線が前記仮支持アームの回動軸線に直交し、前記仮支持ロープを間に左右に所定の間隔をあけて配設される左右一対の支持ローラーの少なくとも４つの支持ローラーを備えて構成されていることを特徴とする架線撤去用具。
【請求項５】
請求項４記載の架線撤去用具において、
前記少なくとも４つの支持ローラーのうち、少なくとも一つの支持ローラーが前記４つの支持ローラーのそれぞれの回転軸線に直交する軸線周りに回動可能に支持されていることを特徴とする架線撤去用具。
【発明の詳細な説明】
【技術分野】
【０００１】
本発明は、例えば架空配電設備の一対の電柱の間に架設された架線を撤去する際に用いて好適な架線の撤去方法及び架線撤去用具に関する。
【背景技術】
【０００２】
例えば、架空配電設備の一対の電柱の間に架設された架空地支線は、数十年にわたって電柱に架設されているものもあり、腐食などの劣化度に応じて撤去する必要が生じる。
【０００３】
高圧本線とともに一対の電柱の間に架設された架空地支線を撤去する手法は、大別して、送電状態を確保するためのバイパス線を設けるとともに高圧本線の充電（送電／通電）を停止して架空地支線を撤去する手法、高圧本線の充電を停止せずに行う手法がある（例えば、特許文献１、特許文献２、特許文献３参照）。
【０００４】
さらに、図１０に示すように、高圧本線１の充電を停止せずに架空地支線２を撤去する手法は、例えば、作業者が高圧ゴム手袋、活線胴衣などの保護具を着用し、作業範囲の高圧本線（充電部）１を絶縁性シートなどの防護具１００で被覆し防護を行う。
【０００５】
そして、一方の電柱３にガイドロープ支持具１０１を取り付け、他方の電柱４にガイドロープ支持具１０１及び逆行防止ガイド１０２を取り付け、一方の電柱３から他方の電柱４間にカラビナ付ガイドロープ１０３を配線／延線する。このガイドロープ１０３の配線作業では、カラビナ１０４を架空地支線２に取り付けて一方の電柱３から他方の電柱４にガイドロープ１０３を送り込んでゆく。
【０００６】
次に、一対の電柱３、４間のガイドロープ１０３の弛みを取り、架空地支線２の両端を切断する。そして、逆行防止ガイド１０２を使用して、切断した架空地支線２を地上に送り、リール架台に支持されたリールで巻き取りながら取り外してゆく。最後に、カラビナ付ガイドロープ１０３、ガイドロープ支持具１０１、逆行防止ガイド１０２、防護具１００を取り外し、作業が完了する。
【先行技術文献】
【特許文献】
【０００７】
【特許文献１】特開２００７−１１６８３５号公報
【特許文献２】特開２００６−１８０６５９号公報
【特許文献３】特開平１０−２３６２７号公報
【発明の概要】
【発明が解決しようとする課題】
【０００８】
一方、図１０に示した従来の架空地支線（架線、線材）２の撤去方法においては、高圧本線１が充電の状態で作業を実施するため、すなわち、活線接近作業であるため、保護具、防護具１００を着用、設置する必要があり、これら保護具や防護具１００の着用、設置によって作業性が著しく低下する。
【０００９】
また、高圧本線１の充電部の防護、カラビナ付ガイドロープ１０３の延線、ガイドロープ支持具１０１、逆行防止ガイド１０２の取り付け、取り外し作業にも多大な労力と時間を要する。
【００１０】
さらに、架空地支線２に損傷があるような場合には、予め損傷個所を補強することが必要になるが、この補強を施すことによって撤去対象の架空地支線２の一部が太くなると、カラビナ１０４や逆行防止ガイド１０２に補強部分が引っ掛かるなどして、好適に上記手法で架空地支線２を撤去できなくなることもある。
【００１１】
本発明は、上記事情に鑑み、従来と比較し、一対の柱の間に架設された線材（架線）を効率的に撤去することを可能にする架線の撤去方法及び架線撤去用具を提供することを目的とする。
【課題を解決するための手段】
【００１２】
上記の目的を達するために、この発明は以下の手段を提供している。
【００１３】
本発明の架線の撤去方法は、一対の柱の間に架設された線材を撤去する方法であって、一方の柱と他方の柱の線材支持部付近にそれぞれ作業床を配置する作業床配置工程と、一方の作業床から一方の柱側の線材に、他方の作業床から他方の柱側の線材にそれぞれ、巻き上げ装置から繰り出された仮支持ロープの一端を接続した線材把持具を間接活線作業で取り付ける線材把持具取付工程と、後端側を中心に回動可能で起伏可能に設けられた架線撤去用具の仮支持アームの先端側に前記仮支持ロープを繰り出し／巻き上げ可能に支持させる仮支持ロープ／仮支持アーム取付工程と、前記巻き上げ装置を駆動して前記仮支持ロープに所定の張力を付与しつつ、前記一方の柱と該一方の柱側に取り付けた一方の線材把持具との間、及び前記他方の柱と該他方の柱側に取り付けた他方の線材把持具との間の部分の前記線材の２箇所を切断し、前記線材把持具と前記仮支持ロープと前記仮支持アームと前記巻き上げ装置からなる一対の線材仮支持装置で、切断分離した線材を所定の張り状態で支持する線材切断作業工程とを備えることを特徴とする。
【００１４】
また、本発明の架線の撤去方法においては、前記線材切断作業工程で一対の仮支持アームを回動して伏した状態とし、前記線材を切断分離した後に一対の仮支持アームをそれぞれ回動して起こすとともに、切断分離した線材を所定の張り状態を確保しつつ原位置から離し、前記作業床を降下させ、及び／又は前記巻き上げ装置を駆動して前記仮支持ロープを繰り出し、切断分離した線材を所定位置に下す線材撤去工程を備えることが望ましい。
【００１５】
本発明の架線撤去用具は、上記のいずれかの架線の撤去方法で用いる架線撤去用具であって、前記架線撤去用具である前記仮支持アームは、先端側に、前記仮支持ロープの繰り出し方向から見た正面視で前記仮支持ロープを囲繞するように設けられ、前記仮支持ロープを繰り出し／巻き上げ可能に支持する仮支持ロープ繰り出し／巻き上げ支持機構を備えることを特徴とする。
【００１６】
また、本発明の架線撤去用具においては、前記仮支持ロープ繰り出し／巻き上げ支持機構が、前記仮支持アームを伏して水平にした状態で、互いの回転軸線が前記仮支持アームの回動軸線に沿い、前記仮支持ロープを間に上下に所定の間隔をあけて配設される上下一対の支持ローラー、及び互いの回転軸線が前記仮支持アームの回動軸線に直交し、前記仮支持ロープを間に左右に所定の間隔をあけて配設される左右一対の支持ローラーの少なくとも４つの支持ローラーを備えて構成されていることが望ましい。
【００１７】
さらに、本発明の架線撤去用具においては、前記少なくとも４つの支持ローラーのうち、少なくとも一つの支持ローラーが前記４つの支持ローラーのそれぞれの回転軸線に直交する軸線周りに回動可能に支持されていることがより望ましい。
【発明の効果】
【００１８】
本発明の架線の撤去方法及び架線撤去用具によれば、従来と比較し、一対の柱の間に架設された線材（架線）を効率的に撤去することが可能になる。
【図面の簡単な説明】
【００１９】
【図１】本発明の一実施形態に係る架線の撤去方法を用いて架空地支線を撤去している状況を示す斜視図である。
【図２】本発明の一実施形態に係る架線の撤去方法を用いて架空地支線を撤去している状況を示す平面図であり、線材把持具を架空地支線に取り付けた状態を示す図である。
【図３】本発明の一実施形態に係る架線の撤去方法を用いて架空地支線を撤去している状況を示す平面図であり、一方の電柱側の架空地支線に線材把持具を取り付けた状態を示す図である。
【図４】本発明の一実施形態に係る架線の撤去方法を用いて架空地支線を撤去している状況を示す平面図であり、一方の電柱側の架空地支線を切断し、仮支持アームを回動して起こす状況を示す側面図である。
【図５】本発明の一実施形態に係る線材把持具を示す図である。
【図６】本発明の一実施形態に係る仮支持ロープ繰り出し／巻き上げ支持機構を示す斜視図である。
【図７】本発明の一実施形態に係る仮支持ロープ繰り出し／巻き上げ支持機構を示す正面図であり、仮支持ロープの繰り出し方向から見た正面視図である。
【図８】図７のＸ１−Ｘ１線矢視図であり、本発明の一実施形態に係る仮支持ロープ繰り出し／巻き上げ支持機構を示す側面図である。
【図９】図７のＸ２−Ｘ２線矢視側からの本発明の一実施形態に係る仮支持ロープ繰り出し／巻き上げ支持機構を示す側面図であり、蓋部を開いた状態を示す図である。
【図１０】従来の架線の撤去方法を用いて架空地支線を撤去している状況を示す斜視図である。
【発明を実施するための形態】
【００２０】
以下、図１から図９を参照し、本発明の一実施形態に係る架線の撤去方法及び架線撤去用具について説明する。
【００２１】
ここで、本実施形態では、本発明に係る架線の撤去方法及び架線撤去用具を適用し、一対の電柱の間に高圧本線などとともに架設された架空地支線（架線、線材）を撤去するものとして説明を行う。
【００２２】
本実施形態の架線の撤去方法では、図１及び図２（図３、図４）に示すように、隣り合う一方の電柱（一方の柱）３と他方の電柱４（他方の柱）の架空地支線支持部（線材支持部）付近にそれぞれ、作業者が乗って撤去作業を行うための作業床５、６を配置する（作業床配置工程）。
【００２３】
本実施形態では、例えば、各電柱３、４付近にアウトリガーを張り出して高所作業車を配置し、高所作業車のバケットなどの作業床５、６に作業者が乗り、ブームを伸ばして各電柱３、４の架線支持部がある頂部側の作業に適した所定位置に作業床５、６ひいては作業者を配置する。
【００２４】
ここで、本実施形態の架線の撤去方法では、２台の高所作業車の他に、それぞれの高所作業車の作業床５、６に設けられて架空地支線２を仮支持するための線材把持具７と仮支持ロープ８と仮支持アーム（架線撤去用具）９と巻き上げ装置１０からなる線材仮支持装置（一対の線材仮支持装置）１１を用いる。
【００２５】
そして、一方の高所作業車の作業床５に乗った作業者が、架空地支線２の一方の電柱３側に線材把持具７を取り付ける。また、他方の高所作業車の作業床６に乗った作業者が、架空地支線２の他方の電柱４側に線材把持具７を取り付ける。
【００２６】
線材把持具７は、例えば、図５（及び図３）に示すように、上下一対のクランプ部材１５、１６からなる把持部１７と、ホットスティック１８を接続するとともにホットスティック１８の回転操作によって上下一対のクランプ部材１５、１６の間隔を変えて架空地支線２をクランプ保持／解放するための操作部１９とを備えて構成されている。また、本実施形態の線材把持具７は、カラビナ１４を備えている。
【００２７】
この線材把持具７を架空地支線２に取り付ける際には、図１から図４、図５に示すように、操作部１９にホットスティック１８を接続し、作業者がホットスティック１８を操作して架空地支線２が上下一対のクランプ部材１５、１６の間に配されるように線材把持具７を仮設置する。そして、線材把持具７を架空地支線２に仮設置した後、ホットスティック１８を回転操作して上下一対のクランプ部材１５、１６の間隔を小さくし、上下一対のクランプ部材１５、１６で架空地支線２をクランプ保持させる（線材把持具取付工程）。これにより、線材把持具７を架空地支線２の所定位置に間接活線作業で着脱可能に固着して取り付けることができる。
【００２８】
また、各線材把持具７には、予めウィンチなどの巻き上げ装置１０に巻き回され、この巻き上げ装置１０から繰り出されたワイヤーロープなどの仮支持ロープ８の先端（一端）を接続しておく。
【００２９】
ここで、本実施形態では、図１から図４に示すように、高所作業車の作業床５、６の側部に、巻き上げ装置１０とともに仮支持アーム９が設けられている。仮支持アーム９は、例えば金属製で断面方形状の各棒柱状に形成され、後端部側を回動可能に支持して設けられている。仮支持アーム９は、例えば、作業床であるバケット５、６から外側に水平に延出した状態からバケット５、６の側部の直上で垂直に延びた状態まで後端部側を中心に回動するように構成されている。なお、本実施形態の仮支持アーム９は、電動モータなどの駆動によって回動し、駆動停止とともに任意の傾斜角度で固定可能に構成されている。また、仮支持アーム９は上下方向に延びる軸線周りに回転可能に設けられていてもよい。
【００３０】
仮支持ロープ８は、仮支持アーム９の後端部側に設けられた巻き上げ装置１０から繰り出され、仮支持アーム９の材軸方向に沿って（略材軸方向に沿って）先端部側に延び、仮支持アーム９の先端部に一体に設けられた仮支持ロープ繰り出し／巻き上げ支持機構２０に円滑に繰り出し／巻き上げ可能に支持されている（仮支持ロープ／仮支持アーム取付工程）。仮支持ロープ８は、仮支持ロープ繰り出し／巻き上げ支持機構２０によって、その延在方向を仮支持アーム９の材軸方向に交差する任意の方向に屈曲するように巻き掛け支持されて、先端が線材把持具７に接続されている。
【００３１】
具体的に、仮支持ロープ繰り出し／巻き上げ支持機構２０は、図６から図９（図１から図４）に示すように、巻き上げ装置１０から仮支持アーム９の材軸方向Ｏ１に沿って繰り出された仮支持ロープ８の繰り出し方向Ｔ１から見た正面視で、仮支持ロープ８を囲繞するように設けられ、円滑に仮支持ロープ８を繰り出し／巻き上げ可能に支持するための機構である。
【００３２】
本実施形態の仮支持ロープ繰り出し／巻き上げ支持機構２０は、仮支持アーム９を伏して水平にした状態で、互いの回転軸線Ｏ２が仮支持アーム９の回動軸線に沿い、仮支持ロープ８を間に上下に所定の間隔をあけて配設される上下一対の支持ローラー２１、２２と、互いの回転軸線Ｏ３が仮支持アーム９の回動軸線に直交し、仮支持ロープ８を間に左右に所定の間隔をあけて配設される左右一対の支持ローラー２３、２４とを備えて構成されている。
【００３３】
さらに、本実施形態の仮支持ロープ繰り出し／巻き上げ支持機構２０は、１組（１段）上下一対の支持ローラー２１、２２が仮支持アーム９の材軸方向Ｏ１に間隔をあけて２組（２段）並設され、１組（１段）左右一対の支持ローラー２３、２４が２組の上下一対の支持ローラー２１、２２を間に配するように仮支持アーム９の材軸方向Ｏ１に間隔をあけて２組（２段）並設され、計８本の支持ローラー２１〜２４を備えて構成されている。そして、仮支持ロープ８の繰り出し方向Ｔ１から見た正面視で計８本の支持ローラー２１〜２４で囲まれた空間が仮支持ロープ８を挿通する挿通空間Ｈとされている。
【００３４】
本実施形態の仮支持ロープ繰り出し／巻き上げ支持機構２０は、方形筒状に形成され、仮支持アーム９の先端部に嵌合させるとともにボルト接合などで固定して取り付けられる接続部２５と、接続部２５に一体に設けられた方形筒状のローラー支持ボックス２６とを備え、ローラー支持ボックス２６の内部に計８本の支持ローラー２１〜２４が軸支して設けられている。
これにより、接続部２５を仮支持アーム９の先端部に嵌合させてボルト締めするだけで、容易に仮支持ロープ繰り出し／巻き上げ支持機構２０を仮支持アーム９の先端部に装着、具備することができる。
【００３５】
さらに、ローラー支持ボックス２６は、例えば、仮支持アーム９を水平に伏した状態で上面を形成する一側壁部（２６ａ）が蝶番（ヒンジ部）２７によって仮支持アーム９の材軸方向Ｏ１に沿う軸線Ｏ４周りに回動可能で扉部２６ａとされ、扉部２６ａを回動することによってローラー支持ボックス２６の内部が開閉可能とされている。この扉部２６ａの一側壁部の内側に２段の上方の支持ローラー２１が軸支して取り付けられている。
これにより、扉部２６ａを回動して開くことにより、扉部２６ａに支持された２段の上方の支持ローラー２１が回動し、挿通空間Ｈに仮支持ロープ８を容易に挿入配置することができる。
【００３６】
また、ローラー支持ボックス２６には、扉部２６ａを閉めた状態でこれを保持するための扉固定部２８が設けられている。
【００３７】
そして、本実施形態の架線の撤去方法では、図１から図４（図６から図９）に示すように、仮支持ロープ８の先端を接続した線材把持具７を間接活線作業で架空地支線２に取り付けた後に、扉部２６ａを開閉して８本の支持ローラー２１〜２４で囲まれて形成される挿通空間Ｈ内に仮支持ロープ８を挿入配置する。また、仮支持アーム９が伏して高所作業車のバケットの作業床５、６から外側に延出した状態にしつつ巻き上げ装置１０を駆動して仮支持ロープ８ひいては架空地支線２に「所定の張力」を付与する。
【００３８】
このとき、架空地支線２を両電柱３、４側からそれぞれ外側に引っ張るように仮支持ロープ８に張力を付与することになるが、仮支持ロープ８が仮支持ロープ繰り出し／巻き上げ支持機構２０の８本の支持ローラー２１〜２４で囲まれているため、確実にいずれかの支持ローラー２１〜２４（このとき、本実施形態では２段の左右一対の支持ローラー２３、２４）に当接して支持される。
これにより、仮支持ロープ繰り出し／巻き上げ支持機構２０によって、仮支持ロープ８を、円滑に且つその延在方向を任意の方向に屈曲するように、自動的に巻き掛けて支持することができる。
【００３９】
次に、仮支持ロープ８ひいては架空地支線２に「所定の張力」を付与した状態で、一方の電柱３とこの一方の電柱３側に取り付けた一方の線材把持具７の間と、他方の電柱４とこの他方の電柱４側に取り付けた他方の線材把持具７の間の架空地支線２の２箇所Ｓ１、Ｓ２をそれぞれ、高所作業車の作業床５、６に乗った作業者が切断する（線材切断作業工程）。
【００４０】
このように架空地支線２の２箇所Ｓ１、Ｓ２を切断すると、切断分離した架空地支線２が各高所作業車に設けられた線材把持具７と仮支持ロープ８と仮支持アーム９と巻き上げ装置１０からなる線材仮支持装置１１（一対の線材仮支持装置１１）で支持される。
【００４１】
なお、本実施形態において、上記の仮支持ロープ８に付与する「所定の張力」とは、架空地支線２を切断分離した際に、切断分離した架空地支線２が高圧本線１に接触することを防止できる程度の張力を意味し、本発明においては、切断分離した架空地支線２と他の隣接物とが所定の離間距離を確保できる程度の張力を意味する。
【００４２】
また、本実施形態では、線材把持具７を間接活線作業で架空地支線２に取り付けた後に、扉部２６ａを開閉して仮支持ロープ繰り出し／巻き上げ支持機構２０の挿通空間Ｈ内に仮支持ロープ８を挿入配置するようにしているが、仮支持ロープ繰り出し／巻き上げ支持機構２０の挿通空間Ｈ内に仮支持ロープ８を挿入配置してから架空地支線２に線材把持具７を取り付けても構わない。言い換えれば、架空地支線２に線材把持具７を取り付ける前に仮支持ロープ繰り出し／巻き上げ支持機構２０の挿通空間Ｈ内に仮支持ロープ８を挿入配置しても構わない。
【００４３】
さらに、撤去対象の架空地支線２を切断分離した際に、各電柱３、４に支持されて残った架空地支線２側が電柱３、４の架線支持部から外れて落下することも考えられる。このような場合には、例えば、図３（図５）に示すように、架空地支線２を切断分離する前の段階で、別途、残る側の架空地支線２に本実施形態と同様の線材把持具７’を取り付け、線材把持具７’のカラビナ１４に環状にしてロープ３０を接続し、環状のロープ３０に頂部から電柱３、４を通して引っ掛けておけば、架空地支線２を切断分離した後に、残った架空地支線２が電柱３、４の架線支持部から外れても、別途設けた線材把持具７’及び環状のロープ３０によって電柱３、４で支持でき、落下することを確実に防止できる。
【００４４】
次に、図１から図４（図６から図９）に示すように、切断分離した架空地支線２を各高所作業車に設けられた一対の線材仮支持装置１１で支持した後に、一対の仮支持アーム９をそれぞれ回動させて起こすとともに、切断分離した架空地支線２を所定の張り状態を確保しつつ引き上げて、架設されていた元の位置（原位置）から離す（線材撤去工程）。
【００４５】
このとき、仮支持アーム９の回動とともに架空地支線２を支持する仮支持ロープ８が仮支持ロープ繰り出し／巻き上げ支持機構２０の挿通空間Ｈ内で移動することになるが、仮支持ロープ８が仮支持ロープ繰り出し／巻き上げ支持機構２０の８本の支持ローラー２１〜２４で囲まれているため、確実にいずれかの支持ローラー２１〜２４（このとき、本実施形態では２段の上下一対の支持ローラー２１、２２）に当接して支持される。
これにより、切断分離した架空地支線２を所定の張り状態を確保しつつ引き上げて、架設されていた元の位置（原位置）から離す際にも、仮支持ロープ繰り出し／巻き上げ支持機構２０によって、仮支持ロープ８を円滑に且つその延在方向を任意の方向に屈曲するように自動的に巻き掛けて支持することができる。
【００４６】
そして、切断分離した架空地支線２を一対の仮支持アーム９の回動によって離すことができるため、一対の仮支持アーム９の回動範囲を考慮して架空地支線２の切断作業を行うことで、高圧本線１との離間距離を十分に確保し、架空地支線２が高圧本線１に接触するようなことがない状態で、切断分離した架空地支線２を原位置から移動させることができる。
【００４７】
原位置から架空地支線２を離した段階で、高所作業車のブームを操作して作業床５、６を降下させたり、巻き上げ装置１０を駆動して仮支持ロープ８を繰り出すなどし、切断分離した架空地支線２を地上などの所定位置に下すことができる（線材撤去工程）。
【００４８】
したがって、本実施形態の架線の撤去方法（及び架線撤去用具９）においては、高圧本線１とともに一対の電柱３、４に架設された架空地支線２を撤去する場合に、作業者が高圧ゴム手袋、活線胴衣などの保護具を着用する必要がなく、また、高圧本線１の充電部を絶縁性シートなどの防護具１００で防護することなく、架空地支線２を切断撤去することが可能になる。
【００４９】
また、従来方法における高圧本線１の充電部の防護、カラビナ付ガイドロープ１０３の延線、ガイドロープ支持具１０１、逆行防止ガイド１０２の取り付け、取り外し作業のような多大な労力と時間を要する煩雑な作業がなく、容易に架空地支線２を切断撤去することができる。
【００５０】
さらに、架空地支線２に損傷があって予め損傷個所を補強した場合であっても、架空地支線２の撤去作業に全く影響を及ぼすことなく、好適に架空地支線２を切断撤去することが可能になる。
【００５１】
よって、本実施形態の架線の撤去方法（及び架線撤去用具９）によれば、従来と比較し、一対の電柱３、４の間に架設された架空地支線（架線、線材）２を効率的に撤去することが可能になる。
【００５２】
以上、本発明に係る架線の撤去方法及び架線撤去用具の一実施形態について説明したが、本発明は上記の実施形態に限定されるものではなく、その趣旨を逸脱しない範囲で適宜変更可能である。
【００５３】
例えば、本実施形態では、本発明に係る架線の撤去方法及び架線撤去用具９を適用し、一対の電柱３、４の間に高圧本線１などとともに架設された架空地支線（架線、線材）２を撤去するものとして説明を行ったが、本発明は、架空地支線２の撤去にその適用を限定する必要はなく、電柱３、４に限らず、一対の柱に架設されている線材（架線）を撤去するあらゆるケース／架線撤去作業に適用可能である。
【００５４】
また、本実施形態では、仮支持ロープ繰り出し／巻き上げ支持機構２０が、８本の支持ローラー２１〜２４を備えて構成されているものとした。
これに対し、本発明に係る仮支持ロープ繰り出し／巻き上げ支持機構２０は、仮支持ロープ８の繰り出し方向から見た正面視で仮支持ロープ８を囲繞するように設けられ、仮支持ロープ８を繰り出し／巻き上げ可能に支持することができ、且つ、仮支持アーム９を回動した際に、仮支持ロープ８を円滑に且つその延在方向を任意の方向に屈曲するように自動的に巻き掛けて支持することが可能であればよい。
【００５５】
よって、本発明に係る仮支持ロープ繰り出し／巻き上げ支持機構２０は、支持ローラー２１〜２４の数を限定する必要はなく、また、支持ローラー２１〜２４で構成する必要もない。例えば、仮支持ロープ８を内部に挿通する筒状に形成されるとともに、その仮支持ロープ８が当接する内面がポリテトラフルオロエチレン（例えばテフロン：登録商標）などを用いた滑動部材で形成されていてもよく、この場合においても本実施形態と同様の作用効果を得ることが可能である。
【００５６】
また、本発明に係る作業床は、高所作業車の作業床５、６に限定する必要もない。
【符号の説明】
【００５７】
１      高圧本線
２      架空地支線（線材、架線）
３      一方の電柱（一方の柱）
４      他方の電柱（他方の柱）
５      作業床
６      作業床
７      線材把持具
７’    線材把持具
８      仮支持ロープ
９      仮支持アーム（架線撤去用具）
１０    巻き上げ装置
１１    線材仮支持装置
１４    カラビナ
１５    クランプ部材
１６    クランプ部材
１７    把持部
１８    ホットスティック
１９    操作部
２０    仮支持ロープ繰り出し／巻き上げ支持機構
２１    上方の支持ローラー
２２    下方の支持ローラー
２３    左方の支持ローラー
２４    右方の支持ローラー
２５    接続部
２６    ローラー支持ボックス
２６ａ  扉部
２７    蝶番
２８    扉固定部
３０    ロープ
１００  防護具
１０１  ガイドロープ支持具
１０２  逆行防止ガイド
１０３  カラビナ付ガイドロープ
１０４  カラビナ
Ｈ      挿通空間
Ｏ１    材軸方向
Ｏ２    回転軸線
Ｏ３    回転軸線
Ｏ４    軸線
Ｓ１    切断箇所
Ｓ２    切断箇所
【図１】
2019170125.tif 000003
【図２】
2019170125.tif 000004
【図３】
2019170125.tif 000005
【図４】
2019170125.tif 000006
【図５】
2019170125.tif 000007
【図６】
2019170125.tif 000008
【図７】
2019170125.tif 000009
【図８】
2019170125.tif 000010
【図９】
2019170125.tif 000011
【図１０】
2019170125.tif 000012